(57)【特許請求の範囲】
【請求項１】
脚体と、
前記脚体によって支持された座枠と、
前記座枠に張設された張材と、
縁部に複数の突片を有し、前記座枠もしくは脚体、またはそれらの間に前記突片を支持させることにより、前記座枠の内方に突出し、前記張材が押し下げられたとき、前記張材の下面に圧接して、張材を押し上げる弾性支持片とを備え、
さらに、座枠における左右方向を向く前枠杆の後面に後方に向かって開口する凹部を設け、かつ脚体における上部前縁に、前方に向かって突出する突片を設け、この突片を前記凹部に嵌合するとともに、前記凹部内における前記突片の上方の空隙に、弾性支持片の前縁に設けた突片を嵌合することにより、脚体における前上部に、前記座枠の前部と弾性支持片とを取り付けたことを特徴とする椅子。
【請求項２】
座枠の後部を脚体の上面に当接させて、締着手段により締着した請求項１記載の椅子。
【請求項３】
弾性支持片の前縁または後縁と左右の両側縁とに突片を設け、各突片を対応する凹部に嵌合することにより、弾性支持片を座枠に対して前後左右に移動不能とした請求項１または２記載の椅子。
【請求項４】
弾性支持片の左右方向の寸法を、座枠における前後方向を向く左右１対の側枠杆間の間隔とほぼ同一とした請求項１〜３のいずれかに記載の椅子。
【発明の詳細な説明】
【技術分野】
【０００１】
本発明は、座枠に張材を張設してなる椅子に関する。
【背景技術】
【０００２】
近年、通気性やデザイン性を考慮して、座や背凭れを、座枠または背枠に織物やメッシュ材等からなる張材を張設して形成した椅子が多く用いられるようになってきている。
このような座枠に張材を張設した椅子において、張材の強度不足や張力不足を補うため、座枠に、その内方に突出して、張材が押し下げられたとき、張材の下面に圧接して、張材を押し上げるようにした弾性支持片(可撓性舌片または支持片)を一体的に設けたものがある(例えば特許文献１〜３参照)。
【先行技術文献】
【特許文献】
【０００３】
【特許文献１】特許第４２０２６８８号公報
【特許文献２】特許第４４９７６２９号公報
【特許文献３】米国特許第６７０２３９０号明細書
【発明の概要】
【発明が解決しようとする課題】
【０００４】
しかし、上記のような従来の椅子は、弾性支持片を座枠と一体的に形成しているため、座枠成形用の金型が複雑となり、また弾性支持片の形状や形成位置によっては、一工程では成形できず、複数の工程を経なければならないこともある。
【０００５】
本発明は、上記問題点に鑑みてなされたもので、弾性支持片を座枠と別体として形成することにより、座枠成形用の金型の構造を簡素化し、製造コストを低減できるだけでなく、座枠や弾性支持片の構造を簡素化でき、しかも弾性支持片を座枠に容易に取り付けることができるようにした椅子を提供することを目的としている。
【課題を解決するための手段】
【０００６】
本発明によると、上記課題は、次のようにして解決される。
（１）脚体と、前記脚体によって支持された座枠と、前記座枠に張設された張材と、縁部に複数の突片を有し、前記座枠もしくは脚体、またはそれらの間に前記突片を支持させることにより、前記座枠の内方に突出し、前記張材が押し下げられたとき、前記張材の下面に圧接して、張材を押し上げる弾性支持片とを備え、さらに、座枠における左右方向を向く前枠杆の後面に後方に向かって開口する凹部を設け、かつ脚体における上部前縁に、前方に向かって突出する突片を設け、この突片を前記凹部に嵌合するとともに、前記凹部内における前記突片の上方の空隙に、弾性支持片の前縁に設けた突片を嵌合することにより、脚体における前上部に、前記座枠の前部と弾性支持片とを取り付ける。
【０００７】
このような構成とすると、弾性支持片を座枠と別体として形成することができるので、座枠成形用の金型の構造を簡素化することができ、製造コストを低減できるだけでなく、座枠や弾性支持片の構造を簡素化でき、しかも弾性支持片を、突片をもって、座枠に簡単に取り付けることができる。
また、座枠における前枠杆の後面に設けた凹部をもって、脚体への座枠の取付けと、座枠または脚体への弾性支持片の取付けとの両方を果たすことができる。
【０００８】
（２）上記(１)項において、座枠の後部を脚体の上面に当接させて、締着手段により締着する。
【０００９】
このような構成とすると、座枠における前枠杆の後面に設けた凹部を、脚体における上部前縁に設けた突片に係合させた後、座枠の後部を脚体の上面に当接させて、締着手段により締着することにより、座枠を脚体に簡単に取付けることができる。
【００１０】
（３）上記(１)または(２)項において、弾性支持片の前縁または後縁と左右の両側縁とに突片を設け、各突片を対応する凹部に嵌合することにより、弾性支持片を座枠に対して前後左右に移動不能とする。
【００１１】
このような構成とすると、締着手段等を設けることなく、弾性支持片の位置づれやがたつきを防止することができる。
【００１２】
（４）上記(１)〜(３)項のいずれかにおいて、弾性支持片の左右方向の寸法を、座枠における前後方向を向く左右１対の側枠杆間の間隔とほぼ同一とした請求項１〜３のいずれかに記載の椅子。
【００１３】
このような構成とすると、座枠内における弾性支持片の左右方向の位置づれやがたつきを確実に防止することができる。
【発明の効果】
【００１４】
本発明によると、弾性支持片を座枠と別体として形成することにより、座枠成形用の金型の構造を簡素化し、製造コストを低減できるだけでなく、座枠や弾性支持片の構造を簡素化でき、しかも弾性支持片を座枠に容易に取り付けることができるようにした椅子を提供することができる。
【図面の簡単な説明】
【００１５】
【図１】本発明の一実施形態を斜め前上方より見た斜視図である。
【図２】同じく、分解斜視図である。
【図３】同じく、座より下方の部分の平面図である。
【図４】図３におけるIV−IV線拡大縦断正面図である。
【図５】図３におけるV−V線拡大縦断側面図である。
【図６】座枠を斜め後下方より見た斜視図である。
【図７】本発明の変形例における、図５の左部と同様の部分の拡大縦断側面図である。
【発明を実施するための形態】
【００１６】
以下、本発明の一実施形態を、図１〜図６を参照して説明する。
図１および図２に示すように、この椅子は、脚体１、座２、背凭れ３、及び左右１対の肘掛け４、４を備えている。
【００１７】
脚体１は、金属パイプを側面視ほぼ台形状に折曲して形成された左右１対の側脚５、５と、この左右の側脚５、５の前上端部の対向面同士を連結する側面視Ｕ字状断面(図５参照)の板金製の前部連結杆６と、同じく、左右の側脚５、５の後上端部同士を連結する、左右の側脚５、５間の左右幅よりも若干長寸の金属パイプよりなる後部連結杆７とからなっている。
前部連結杆６の前上縁には、前方に向かって突出する複数の突片６ａが設けられている。
【００１８】
左右の側脚５、５の上部における前後方向を向く上部水平杆５ａ、５ａの後端部には、短寸の折曲部５ｂ、５ｂが内向き対向状に連設され、この両折曲部５ｂの後面を、後部連結杆７の両側端部の前面下部に溶接することにより、左右の側脚５、５は、側面視ほぼ台形状に形成されている。なお、上記左右の上部水平杆５ａ、５ａと、前部連結杆６と、後部連結杆７とにより、座２の下面を支持するほぼ水平かつ閉ループの平面視方形枠状の座支持枠８が形成されている。
【００１９】
左右の側脚５、５における上下方向を向く後部脚杆５ｃ、５ｃの上部同士は、後部連結杆７により連結され、この後部連結杆７より上方に突出する後部脚杆５ｃ、５ｃの上方への延長部である背凭れ支持杆９、９には、背凭れ３および左右の肘掛け４、４が取付けられている。
しかし、この背凭れ３および肘掛け４、４の脚体１への取付構造は、本発明には直接関係しないので、その詳細な説明は省略する。
【００２０】
左右の上部水平杆５ａ、５ａの後部と、左右の折曲部５ｂ、５ｂとの下面には、座２の下面を脚体１に固定するための固定金具１０が、座支持枠８の枠内に突出するようにして、溶接により固着されている。
【００２１】
図２〜図６に示すように、座２は、閉ループの平面視方形枠状の座枠１１と、周縁部が座枠１１の上部に埋設するようにして座枠１１と一体成形されて、座枠１１の上面に張設された、織物やメッシュ材等からなる張材１２と、座枠１１もしくは脚体１の座支持枠８、またはそれらの間に支持されて、座枠１１の内方に突出し、張材１２が押し下げられたとき、または常時張材１２の下面に圧接して、張材１２を押し上げるようにした弾性支持片１３とを備えている。
【００２２】
座枠１１は、左右方向を向く前枠杆１１ａおよび後枠杆１１ｂと、それらの各側端同士を連結する前後方向を向く左右１対の側枠杆１１ｃ、１１ｃとからなっている。
【００２３】
座枠１１の外周縁には、短寸の垂下縁１４が設けられているが、座枠１１における後枠杆１１ｂと両側枠杆１１ｃ、１１ｃとの接合部の外側角部においては、その垂下縁１４の角部を含む切除部１５が設けられ、その切除部１５、１５を通って、背凭れ支持杆９、９が上方に延出している。
【００２４】
座枠１１における後枠杆１１ｂと両側枠杆１１ｃ、１１ｃとの内周縁には、垂下縁１４より肉厚の垂下縁１６が設けられている。
後枠杆１１ｂと両側枠杆１１ｃ、１１ｃとにおける内側の垂下縁１６と外側の垂下縁１４との間には、脚体１における後部連結杆７および上部水平杆５ａが下方より嵌合され、内側の垂下縁１６の下面に各固定金具１０が当接した状態で、各固定金具１０を垂下縁１６の下面に、締着手段である止めねじ１７(図５参照)をもって固着することにより、座２は脚体１に強固に固着されている。
【００２５】
図５に示すように、座枠１１における前枠杆１１ａは、基部１８の前端下面に肉厚とした垂下縁１４が連設された断面ほぼ倒立Ｌ字状をなし、その垂下縁１４の後面上部には、基部１８の下面と連続し、かつ後方に向かって開口する複数の凹部１９が、左右方向に適宜の間隔をもって設けられている。
【００２６】
座枠１１における両側枠杆１１ｃ、１１ｃの前部の内側面にも、凹部１９と同様に座枠１１の内方に向かって開口する凹部２０が設けられている。各側枠杆１１ｃの内側面における各凹部２０の下縁には、座枠１１の内方に向かって突出する突縁２１が設けられている。
【００２７】
弾性支持片１３は、左右方向の寸法が、座枠１１における両側枠杆１１ｃ、１１ｃ間の間隔とほぼ同一であり、かつ後縁が緩やかな平面視円弧状をなす横長のほぼ長方形をなし、前縁に、前方を向く複数の突片２２が左右方向に並べて突設され、また両側縁に外側方を向く１個の突片２３が設けられたものよりなっている。
各突片２２の左右幅は、対応する凹部１９の左右幅とほぼ同一か、または若干小としてあり、また各突片２３の前後幅は、対応する凹部２０の前後幅とほぼ同一か、または若干小としてある。
【００２８】
弾性支持片１３には、着座者の着座時における荷重分布に応じた可撓性が得られるように、多数の孔２４が、図２および図３に示すような配置で設けられている。すなわち、弾性支持片１３における座者の左右の太腿が当たる部分には、それらの前端中央部を中心とする複数の同心円状をなすように、複数の孔２４が配設されている。
【００２９】
弾性支持片１３は、図５に示すように、前縁における左右両側部の２個ずつの突片２２が、座枠１１の前枠杆１１ａにおける対応する凹部１９に嵌合されるか、または臨むようにして、前枠杆１１ａの基部１８の下面に当接し、かつ図４に示すように、両側縁における突片２３、２３が、座枠１１の両側枠杆１１ｃ、１１ｃにおける凹部２０、２０に嵌合するようにして座枠１１に取付けられている。
【００３０】
図５に示す例では、弾性支持片１３は、常時張材１２の下面に当接しているように記載してあるが、常時は張材１２の下面から離間するようにしておいてもよい。
しかし、いずれの場合も、着座者が座２に着座したときのように、張材１２が押し下げられたときは、弾性支持片１３は、張材１２の下面に圧接して、張材１２を押し上げるようにしておく。
【００３１】
座枠１１を脚体１の座支持枠８に装着するには、予め弾性支持片１３を上記のようにして座枠１１に装着した状態で、前部連結杆６の各突片６ａが弾性支持片１３の突片２２の下面に当接し、かつ連結杆６の前縁における左右両側部の２個ずつの突片６ａが、対応する座枠１１の前枠杆１１ａにおける凹部１９に嵌合されるようにして、座枠１１を脚体１の座支持枠８上に載置し、その後脚体１の座支持枠８の下方より、各固定金具１０を、座枠１１における内側の垂下縁１６の下面にねじ止めする。
【００３２】
なお、座枠１１を脚体１の座支持枠８に装着した後に、弾性支持片１３の各突片２２を、前部連結杆６の各突片６ａと座枠１１の前枠杆１１ａにおける基部１８の下面との間に差し込みつつ、弾性支持片１３を正面視円弧状に湾曲させて、両側部の突片２３、２３を座枠１１の両側枠杆１１ｃ、１１ｃにおける凹部２０、２０に嵌合し、弾性支持片１３を座枠１１に取付けることもできる。
【００３３】
このようにして座枠１１を脚体１の座支持枠８に取付けると、弾性支持片１３は、座枠１１内において、前後左右に移動不能となり、弾性支持片１３を締着手段等をもって座枠１１に固着しなくても、弾性支持片１３の左右方向の位置づれやがたつきを確実に防止することができる。
【００３４】
また、弾性支持片１３によって、張材１２の強度不足や張力不足を補うことができるとともに、弾性支持片１３を座枠１１と別体として形成することができるので、座枠成形用の金型の構造を簡素化することができ、製造コストを低減できるだけでなく、座枠１１や弾性支持片１３の構造を簡素化でき、しかも弾性支持片１３を、突片２２、２３をもって、座枠１１に簡単に取り付けることができる。
【００３５】
さらに、この実施形態においては、次のような効果を奏することもできる。
(１)  座枠１１の内面における凹部２０の下縁に、座枠の内方に向かって突出する突縁２１を設けてあるので、この突縁２１によって突片２３を受支し、弾性支持片１３が下方に脱落するのを確実に防止することができる。
【００３６】
(２)  座枠１１における前枠杆１１ａの後面に設けた凹部１９をもって、脚体１への座枠１１の取付けと、座枠１１への弾性支持片１３の取付けとの両方を果たすことができる。
【００３７】
(３)  座枠１１における前枠杆１１ａの後面に設けた凹部１９を、脚体１における上部前縁に設けた突片２２に係合させた後、座枠１１の後部を脚体１の上面に当接させて、止めねじ１７をもって締着することにより、座枠１１を脚体１に簡単に取付けることができる。
【００３８】
本発明は、上記実施形態のみに限定されるものではなく、特許請求の範囲を逸脱することなく、例えば、次のような幾多の変形した態様での実施が可能である。
(１)  図７に示すように、座枠１１の前枠杆１１ａにおける後面下部に、前枠杆１１ａの後方と下方とに開口する切込み２５を設け、この切込み２５の下方への開口部を、脚体１における上記前部連結杆６と同様に機能する前部連結杆２６の上面をもって閉塞することにより、座枠１１の内方に開口する凹部２７を形成し、これに弾性支持片１３の突片２２を嵌合させる。
前部連結杆２６の後面における凹部２７の下縁には、座枠１１の内方に向かって突出する、上記突縁２１と同様の突縁２６ａが設けられている。
このような構成とすると、座枠１１の成形時の型抜きが容易になるとともに、成形型の構造を簡素化することができ、製造コストの低減に寄与することができる。
【００３９】
(２)  座枠１１の後部に、弾性支持片１３を、上記のものと前後対称の構造をもって取付ける。すなわち、上記突片２２と同様のものを弾性支持片１３の後縁に設け、これを、座枠１１の後枠杆１１ｂの前面に設けた凹部１９と同様のものに嵌合する。
【００４０】
(３)  凹部１９、２０を、脚体１における前部連結杆６の後面および上部水平杆５ａの内側面に設け、そこに弾性支持片１３の突片２２、２３を嵌合する。
その場合に、凹部１９、２０の下縁に、突縁２１と同様のものを設ける。
【００４１】
(４)  座支持枠８および座枠１１を、平面視円形その他の形状とする。
【００４２】
(５)  弾性支持片１３の突片２２、２３を、座枠１１の下面にねじ止めその他の固着手段により固着する。
【００４３】
(６)  座枠１１または支持枠８の内面に、座枠１１等の内方に向かって開口する筒部を突設し、この筒部の先端に形成された凹部に、弾性支持片１３の突片を嵌合する。
【００４４】
(７)  弾性支持片１３における突片を、座枠１１における側枠杆１１ｃ、もしくは脚体１における上部水平杆５ａ、またはそれらの間に取付ける。
【符号の説明】
【００４５】
１  脚体
２  座
３  背凭れ
４  肘掛け
５  側脚
５ａ上部水平杆
５ｂ折曲部
５ｃ後部脚杆
６  前部連結杆
６ａ突片
７  後部連結杆
８  座支持枠
９  背凭れ支持杆
１０  固定金具
１１  座枠
１１ａ前枠杆
１１ｂ後枠杆
１１ｃ側枠杆
１２  張材
１３  弾性支持片
１４  垂下縁
１５  切除部
１６  垂下縁
１７  止めねじ(締着手段)
１８  基部
１９、２０  凹部
２１  突縁
２２、２３  突片
２４  孔
２５  切込み
２６  前部連結杆
２６ａ突縁
２７  凹部
【図１】
0005767010.tif 000002
【図２】
0005767010.tif 000003
【図３】
0005767010.tif 000004
【図４】
0005767010.tif 000005
【図５】
0005767010.tif 000006
【図６】
0005767010.tif 000007
【図７】
0005767010.tif 000008